(57)【特許請求の範囲】
【請求項１】
円盤状のディスクを筐体内の所定の位置に装填可能とされ、このディスクを駆動源により回転させ、上記ディスクの一方の面側に配置された振動板の振動弁を弾くことで音を発生させると共に、この振動弁の振動を上記筐体で共鳴させ音を増幅するようにしたディスク式オルゴールにおいて、上記振動板から見て上記ディスクの配置されている方向とは異なる方向に、上記振動板が配置される空間の筐体外への開口となる開口部を設け、
前記開口部は、前記ディスクと直交する面に形成されると共に、前記振動板が前記開口部方向に向くように傾いて取り付けられていることを特徴とするディスク式オルゴール。
【請求項２】
前記振動板が取り付けられたフレームと前記ディスクとの間に生ずる空間に連続すると共に前記ディスクの前記振動板側の面がさらされる内部空間の開口として前記開口部が設けられていることを特徴とする請求項１記載のディスク式オルゴール。
【請求項３】
前記振動板を２つ備え、その一方を前記ディスクと平行に、他方を前記ディスクに対して傾けて設置したことを特徴とする請求項１又は２記載のディスク式オルゴール装置。
【請求項４】
前記フレームにおける前記振動板の裏平面部と対向した位置に貫通孔を設け、前記振動板から発生する超高音を上記貫通孔を通過させ、かつ前記開口部から外部へ導くようにしたことを特徴とする請求項１記載のディスク式オルゴール。
【請求項５】
前記開口部は、前記貫通孔を通過する超高音が反射することなく直接外部に導かれるような位置に配置されたことを特徴とする請求項４記載のディスク式オルゴール。
【請求項６】
前記ディスクが筐体内の所定位置に装填され、取り外し不能または取り外し可能に構成されていることを特徴とする請求項１から５のいずれか１項記載のディスク式オルゴール。
【発明の詳細な説明】
【０００１】
【発明の属する技術分野】
本発明は、円盤状のディスクを装填可能なディスク式オルゴールに関し、特に超高音を聴聞可能とするオルゴールに関する。
【０００２】
【従来の技術】
従来より、筐体内部に音源を備えたものの一例として、ディスク回転式のオルゴール装置が、種々提案されている（特開平９−９７０５２号公報等参照）。このようなディスク式オルゴールは、例えば、図１３に示すような構成となっている。図１３に示したディスク式オルゴールは、モータ駆動源（図示省略）と、曲目に対応した複数の係合部１０１ａを一側の表面に備えた円盤状のディスク１０１と、ディスク１０１の係合部１０１ａに係合可能な複数の爪１０２ａを外周に備えた爪車１０２と、爪車１０２の爪１０２ａに弾かれて振動し音を鳴奏する振動弁１０３ａを備えた振動板１０３と、振動板１０３を支持するフレーム１０４と、これらの各部材を内部に収納し音鳴奏時に、振動板１０３の振動を共鳴させる筐体（図示省略）と、を有している。
【０００３】
このディスク式オルゴールは、モータ駆動源によってディスク１０１を回転させると、係合部１０１ａに爪車１０２の爪１０２ａが係合し爪車１０２が回転するようになっている。そして、爪車１０２の回転によって、爪１０２ａが振動板１０３の振動弁１０３ａを弾き、振動弁１０３ａが振動することによって、この振動が筐体内で共鳴する。すなわち、筐体内の板状あるいは柱状部材等あらゆる部材に振動が伝達し増幅されることとなる。
【０００４】
なお、図１３におけるディスク１０１の上方には、筐体の開口扉（図示省略）が設けられている。これは、ディスク式のオルゴールでは、ディスク１０１の回転を見て楽しめるようにディスク１０１の表面（図１３では上面）を聴者が視認可能とするため、及びディスク１０１の取り付け取り外しを容易とするためである。この開口扉は音鳴奏時には開放されるため、上述の動作により筐体内で共鳴した振動が、音となって開口扉を開いたその開口部より外部へ伝達されるようになっている。
【０００５】
【発明が解決しようとする課題】
しかしながら、上述したディスク式オルゴールでは、音の発生源となっている振動板と音を外部へ放出するための開口扉との間にディスク１０１が配置されている。そのため、音の一部はディスク１０１に遮られて外部へ導かれず、聴者の耳に届かない。
【０００６】
すなわち、上述のディスク式オルゴールの開口扉側では、筐体内の部材に共鳴し増幅された音が聴者の耳に聞こえるようになっているが、聴者が聞くことが可能な音は、一般的に可聴音域といわれる２万Ｈｚ以下の周波数の音域の音のみである。このような音域の音は、ディスク１０１によって音の導かれる方向が遮られていても、強い振動力で筐体を共鳴させてその共鳴させた音が外部に導かれる。すなわち、２万Ｈｚ以下の音の場合、振動板１０３から開放扉方向へ直接伝播される直接音や筐体内部の何らかの部材に反射して伝播される反射音はディスク１０１で遮蔽されて外部へ放出されないものの、筐体のあらゆる部分に伝達され共鳴した音が、開放扉から外部へ導かれ、それを聴者が聞くことができるようになっている。
【０００７】
一方、最近では、２万Ｈｚ以上の超音域の音が、聴者の脳からα波が発生するのを促進させることが知られるようになってきた。このα波の発生時、人間は精神的にリラックス状態となり、ストレス発散、創造活動等にとって、α波は好ましいものとされている。
【０００８】
しかしながら、ディスク式オルゴールにおいて、可聴音域である２万Ｈｚを超える周波数の音域の音（超高音）が発生しているものの、その超高音は、筐体を共鳴させる程、振動力が強くない。そのため、振動板１０３と開放扉との間にディスク１０１が配置されていると、直接振動板１０３から開放扉側に伝播しようとする直接音や何らかの部材に反射して伝播しようとする反射音が、開放扉側へ伝動できない。そのため、上述のディスク式オルゴールでは、聴者の脳波にα波の発生を促進させる効果を有する超高音を、外部へ導かせることができず、音の一部（可聴音域）のみしか聴者に聞かせることが出来ないものとなっている。
【０００９】
本発明の目的は、上述した問題に鑑みて、可聴音域のみならず超高音をも聴者が聞くことが可能となるような構造のディスク式オルゴールを提供することにある。
【００１０】
【課題を解決するための手段】
かかる目的を達成するため、本発明は、円盤状のディスクを筐体内の所定の位置に装填可能とされ、このディスクを駆動源により回転させ、ディスクの一方の面側に配置された振動板の振動弁を弾くことで音を発生させると共に、この振動弁の振動を筐体で共鳴させ音を増幅するようにしたディスク式オルゴールにおいて、振動板から見てディスクの配置されている方向とは異なる方向に、振動板が配置される空間の筐体外への開口となる開口部を設け、振動板で発生した非可聴域の超高音を開口部から外部へ導くようにしている。そのため、開口部から可聴音域だけでなく超高音も筐体外部へ導かれ、それを聴者が聞くことができるようになる。
【００１１】
また、他の発明は、上述のディスク式オルゴールに加えて、開口部は、ディスクと直交する面に形成されると共に、振動板が開口部方向に向くように傾いて取り付けられている。そのため、振動板からの直接音がより確実に開口部方向へ導かれ外部へ放出されることとなり、可聴領域の音だけでなく超高音も、聴者が聞くことができるようになる。
【００１２】
また、他の発明は、上述のディスク式オルゴールに加えて、振動板が取り付けられたフレームとディスクとの間に生ずる空間に連続すると共にディスクの振動板側の面がさらされる内部空間の開口として開口部が設けられている。そのため、さらに、主に直接音で伝播する超高音がより外部へ導かれ易くなり、それを聴者が聞くことが可能となる。
【００１３】
また、他の発明は、上述のディスク式オルゴールに加えて、振動板を２つ備え、その一方をディスクと平行に、他方をディスクに対して傾けて設置している。そのため、さらに超高音が確実に外部へ導かれ、それを聴者が聞くことができるようになる。
【００１４】
また、他の発明は、上述のディスク式オルゴールに加えて、フレームにおける振動板の裏平面部と対向した位置に貫通孔を設け、振動板から発生する超高音を貫通孔を通過させ、かつ開口部から外部へ導くようにしている。そのため、貫通孔を通過した超高音が、開口部から外部へ導かれ、可聴音域だけでなく超高音も聴者が聞くことができるようになる。
【００１５】
また、他の発明は、上述のディスク式オルゴールに加えて、開口部は、貫通孔を通過する超高音が反射することなく直接外部に導かれるような位置に配置されている。そのため、振動板からの直接音が、筐体等に反射せずに開口部から直接外部へ導かれることとなり、さらに超高音をよりクリアに聴者が聞くことができるようになる。
【００１６】
また、他の発明は、ディスクが筐体内の所定位置に装填され、取り外し不能または取り外し可能に構成されている。そのため、装填位置を工夫することによって、装置としての美感を高めたり、あるいは取り付け取り外しの際の操作性を高めるようにすることが可能となる。
【００１７】
【発明の実施の形態】
以下に、本発明のディスク式オルゴールの実施の形態を、図１から図９に基づいて説明する。
【００１８】
図１，図２及び図３に示すように、ディスク式オルゴール１は、駆動源としてのモータ２０、多数の爪車４、２つの振動板５，６及び各振動板５，６をそれぞれ支持するフレーム７，８を備えたオルゴールユニット３０と、このオルゴールユニット３０に装填されモータ２０によって回転させられる円盤状のディスク３と、からなる音源部２と、これらの音源部２の各部材を内部に収納し振動板５，６の振動を共鳴させる筐体９と、から構成されている。そして、このディスク式オルゴール１は、モータ２０の駆動力によってディスク３を回転させることにより、ディスク３の一側表面に形成された係合部３ａで爪車４の爪４１を引っかけて爪車４を図３において矢示Ａ方向に回転させる。そして、この爪車４の外周に設けられた爪４１が振動板５，６の振動弁５１，６１を弾き、音を鳴奏するようになっている。
【００１９】
筐体９は、オルゴールユニット３０の振動板５，６を固定した各フレーム７，８を支持すると共に、音源部２で発生する音を共鳴させる（部材を振動させその振動を空気振動として伝達することにより音を出す）ためのものとなっている。そのため、筐体９は、後述する開口扉９ａや開口部９ｂ，９ｃ，９ｄ等がなくても、それ自体ディスク式オルゴール１の演奏中に振動して音を外部に伝達するものとなっている。
【００２０】
この筐体９は、内部に空間を有すると共に外観が立方体形状となっており、その内部空間にはオルゴールユニット３０を取り付けるための取り付け板９１と、取り付け板９１に共鳴させた音をさらに増幅させるための増幅板９２と、取り付け板９１と増幅板９２とを連結する２本の魂柱９３，９４と、湾曲板９５とが備えられている。
【００２１】
また、筐体９は、ディスク３を出し入れすると共に主に筐体９内部で共鳴した中高音を外部へ導くために開閉自在な開閉扉９ａと、主に振動板５，６から発生する超高音を外部へ導くための開口となる第１開口部９ｂと、さらに筐体９内部で共鳴した中高音を主に導くための開口となる第２開口部９ｃと、主に筐体９内部で共鳴した超低音を外部へ導くための開口となる大型開口部９ｄと、開閉扉９ａを開けて内部の共鳴音を外部へ導くための開口となる上部開口部９ｊと、を有している。
【００２２】
開閉扉９ａは、図１において筐体９の上面部分に設けられており、一端側を回動中心として上下方向に開閉するようになっている。そして、この開閉扉９ａを開放することにより、筐体９の上面部分よりディスク３の取り替え等ができるようになっており、操作性のよいものとなっている。なお、この開閉扉９ａは、オルゴール演奏中には開放されていることが望ましく、開放されていることにより、筐体９内部で共鳴された音が、この開閉扉９ａから外部へ導かれるようになっている。これによって、ディスク式オルゴール１の周辺にいる人の耳には、筐体９内部で共鳴された音が聞こえる。なお、オルゴール演奏中に、この開閉扉９ａを閉じていても、筐体９自体が振動すると共に他の開口部９ｂ，９ｃ，９ｄから十分音が外部へ放出される。
【００２３】
なお、この開閉扉９ａは、ディスク３を所定の位置へ装填することにより、音の発生源となる振動板５，６から発生される直接音（筐体９内で共鳴することなく直接空気中を伝播していく音波）やこの直接音が何らかの部材に反射して伝達される反射音（直接音と同じく筐体９内で共鳴することなく各部材に反射しながら空気中を伝播していく音波）は伝達されてこない位置に配置されている。すなわち、ディスク３が、振動板５，６と開閉扉９ａとの間に配置され、振動板５，６からの直接音や反射音がディスク３に遮断されることとなり、この開閉扉９ａには達しないようになっている。そのため、この開閉扉９ａから外部へ導かれる音は、直接音や反射音ではなく、筐体９内で共鳴することにより筐体９内部で増幅された音となる。
【００２４】
ここで、筐体９で共鳴し易い音は、可聴音域の音（２万Ｈｚ以下の周波数の音域の音）であり、共鳴しにくく直接音や反射音での伝播が主となる超高音（２万Ｈｚ以上の周波数の音域の音）は、開閉扉９ａ側には導かれにくくなる。
【００２５】
また、第１開口部９ｂは、筐体９の前面（図１において左側端面）の上端から取り付け板９１の取り付けられた位置まで形成されており、第２開口部９ｃは、同じ面の取り付け板９１から増幅板９２の取り付けられた位置まで形成されている。これらの開口部９ｂ，９ｃは、一連の開口となっており、筐体９の前面には、これらの開口部９ｂ，９ｃを開閉する開閉蓋９ｆが備えられている。
【００２６】
すなわち、第１及び第２開口部９ｂ，９ｃは、共にディスク３とは直交する面に設けられており、取り付け板９１を境に第１開口部９ｂは筐体９の開閉扉９ａ側に、第２開口部９ｃは増幅板９２側（底面９６側）にそれぞれ配置されている。そのため、第１開口部９ｂは、振動板５，６から見るとディスク３と取り付け板９１とによって上下が挟まれた空間から筐体９の外側に通ずる出口となるように配置されることとなる。これにより、この開口部９ｂは、振動板５，６からの直接音や反射音、特に振動板６からの直接音や反射音を外部へ導くようになっている（図１において矢印参照）。
【００２７】
このため、ディスク式オルゴール１の前面側にいる人の耳には、筐体９内で共鳴されて外部へ導かれる可聴音域の音のみならず、直接音や反射音で主に伝播される光の性質に近い超高音（２万Ｈｚ以上の周波数の音）までもが良く聞こえるようになる。その結果、聴者の脳波には、α波が発生し易い状態となる。すなわち、本発明の実施の形態のディスク式オルゴール１は、直接音や反射音で主に伝播する超高音を第１開口部９ｂから十分に外部へ導き、聴者に聞かせることができるため、聴者をよりリラックスさせることが可能なものとなる。
【００２８】
なお、第２開口部９ｃは、取り付け板９１より下側に配置されており、振動板５，６が配置される空間とは連通していない。そのため、この第２開口部９ｃには、上述の上部開口部９ｊ同様、振動板５，６からの直接音や反射音がほとんど届かないようになっている。第２開口部９ｃは、魂柱９３，９４によって一体化されている取り付け板９１及び増幅板９２に共鳴させた音、主として可聴帯域中の中高音を、外部へ導くためのものとなっている。
【００２９】
また、大型開口部９ｄは、筐体９の前面（図１において左側端面）の下方に設けられている。この大型開口部９ｄは、上述の上部開口部９ｊ及び第１、第２開口部９ｂ，９ｃに比して振動板５，６からの距離が遠い位置にある。そのため、主として、共鳴し易い超低音が、筐体９や増幅部９２や大空間部Ｓで増幅され湾曲板９５で大型開口部９ｄ側へ出射され、この大型開口部９ｄから外部に導かれるようになっている。
【００３０】
大型開口部９ｄから超低音域の音が導かれることにより、上述の第１開口部９ｂから導かれる非可聴帯域の超高音や、上部開口部９ｊ及び第２開口部９ｃから導かれる可聴帯域の中高音と合わせて、より幅広い音域の音がバランス良く、筐体９の前方へ導かれるものとなっている。なお、上部開口部９ｊから導かれる音は、図２に示すように傾斜して配置される開閉扉９ａによって前方（図１の左方向）へ向けられる。
【００３１】
取り付け板９１は、音源部２を取り付けるための板状部材となっている。この取り付け板９１は、筐体９の底面９６に対して平行に取り付けられた２つの平行部９１ａ，９１ｂと、この２つの平行部９１ａ，９１ｂを段差をつけて連結する約４５度の傾斜面で形成されたスロープ９１ｃと、を有するものとなっている。取り付け板９１のスロープ９１ｃの上側の平行部９１ａには、ディスク３と平行に配置される振動板５を固定したフレーム７が当接している。また、スロープ９１ｃには、振動板６がディスク３に対して傾けて配置されかつ表面が第１開口部９ｂ側に向くように固定されたフレーム８が当接している。この構成により２つの振動板５，６は、１８０度対称となる位置から振動板６が４５度ずれた位置となるように配置されることとなる。
【００３２】
また、平行部９１ａには、ディスク３の装填時にディスク３の外周縁近傍を支えるためのローラー１１ａ，１１ｂを先端部分にそれぞれ備えた支え用軸１２ａ，１２ｂが、また、平行部９１ｂには、ディスク３の装填時にディスク３の外周縁近傍を支えるためのローラー１１ｃ，１１ｄを先端部分にそれぞれ備えた支え用軸１２ｃ，１２ｄが、それぞれ立設されている。
【００３３】
ディスク３には、モータ２０による駆動時に、係合部３ａと係合する爪車４からの力と、駆動用係合穴と係合するスプロケット３１から力が加わり、全体的に浮き上がろうとするが、この浮きを後述のアーム３４で抑えるようになっている。これらのローラー１１ａ，１１ｂ，１１ｃ，１１ｄは、このアーム３４の抑えと協働してディスク３に若干の反りを与えるようにディスク３の一側表面の外周端近傍を支えるものとなっている。なお、本実施の形態では、４つのローラー１１ａ，１１ｂ，１１ｃ，１１ｄを、ディスク３と爪車４との係合位置を中心に約半周をカバーするように配置したが、ディスク全周に等間隔に配置するようにしてもよい。なお、４つのローラー１１ａ〜１１ｄを、上述のような位置で約半周のみに配置したのは、ディスク３と爪車４の係合を確実かつスムーズに行わせるためであり、ディスク３と爪車４が係合していない反対側部分には同じような配置は不要であるためである。
【００３４】
また、増幅板９２は、取り付け板９１と所定の間隔を保って平行となるように筐体９内に取り付けられている。すなわち、増幅板９２は、取り付け板９１と同様、この筐体９の底面９６に対して平行に取り付けられた２つの平行部９２ａ，９２ｂと、この２つの平行部９２ａ，９２ｂを段差をつけて連結する斜面形状のスロープ９２ｃと、を有するものとなっている。
【００３５】
また、取り付け板９１及び増幅板９２は、それぞれ筐体９の側方４面のうちの３面、具体的には、両左右側面９ｇ，９ｈ及び背面９ｅの内壁に固定されていると共に、２つの魂柱９３，９４によって連結されている。そして、この２つの魂柱９３，９４によって形成された取り付け板９１と増幅板９２との間の空間部は、筐体９内での振動の伝播を図るための空間となっている。なお、この２つの魂柱９３，９４は、それぞれ取り付け板９１に取り付けられた振動板５，６と重なる位置の近傍に設けられており、振動弁５１，６１の振動により発生する取り付け板９１の振動を、効率よく増幅板９２に伝達するためのものとなっている。
【００３６】
また、湾曲板９５は、振動板５，６から取り付け板９１、魂柱９３，９４さらに増幅板９２や筐体９へと伝播した振動や大空間部Ｓによって空気振動に変換された振動を、効率よく大型開口部９ｄから外部へ導くための部材となっている。具体的には、一端が筐体９の底面９６の前端（大型開口部９ｄの下端）に固定され、他端が筐体９の背板９ｅの上下方向途中部分に固定され、かつ所定の曲率で湾曲させられたものとなっている。
【００３７】
ディスク３は、１枚で１曲に対応している。このため、選曲に対応したディスク３を開閉扉９ａを開放して筐体９内へ取り付け、演奏終了後取り外すこととなる。図３に示すように、ディスク３の一側の面には、曲目に応じて形成された複数の係合部３ａが設けられている。また、ディスク３は、モータ２０の回転駆動力によって回転するように構成されており、外周縁近傍部分には、モータ２０の回転軸２０ａ（図５参照）の先端に固定されたスプロケット３１と係合する駆動用係合穴（図示省略）が設けられている。そして、ディスク３は、スプロケット３１の回転により駆動用係合穴で駆動力を受けて回転し、係合部３ａが爪車４の外周に形成された爪４１と係合しながら移動することにより、爪車４を回転させるようになっている。
【００３８】
オルゴールユニット３０は、ディスク３を回転駆動し、このディスク３の回転によって爪車４を回転させて爪車４の爪４１で振動弁５１，６１を弾いて音を発生させる駆動ユニットとなっている。このオルゴールユニット３０は、筐体９内の取り付け板９１に固定されている。オルゴールユニット３０は、図４及び図５に示すように、駆動源としてのモータ２０と、スプロケット３１と、多数の爪車４と、振動板５，６と、フレーム７，８と、ホルダー３２，３３と、アーム３４と、シャフト１０と、ガイド３５と、を有している。
【００３９】
モータ２０は、ホルダー３２の端面にネジ止め固定されている。そして、このモータ２０の回転軸２０ａは、ホルダー３２のモータ保持部３２ａに形成された中心孔３２ｆ（図７参照）内に挿通されて、ホルダー３２の他面側に進出している。そして、モータ２０の回転軸２０ａの先端には、円盤状のスプロケット３１が固定されている。
【００４０】
スプロケット３１は、ディスク３の外周縁部分に沿って形成された駆動用係合穴に係合する係合部３１ｂを外周縁に有しており、モータ２０の回転軸２０ａが回転することによってディスク３の駆動用係合穴を係合部３１ｂで引っかけながら回転駆動されるようになっている。
【００４１】
フレーム７の振動板支持台７ａには、図３に示すように、ディスク３と平行に配置される振動板５がネジ止め固定されている。この振動板５は、爪車４と同数の櫛歯状の振動弁５１を有しており、この振動弁５１の弁先が爪車４の外周に形成された爪４１と係脱可能となるように配置されている。各振動弁５１は、それぞれ長さが異なるように形成されており、その振動弁５１の長さによって音高が決まるようになっている。なお、低音域に対応する振動弁５１には、低音を発生させるためと、その振動を長引かせるようにするためのウエート５１ａが溶接により接合されている。
【００４２】
また、フレーム８の振動板支持台８ａには、ディスク３に対して約４５度傾いて設置される振動板６がネジ止め固定されている。この振動板６は、振動板５と同様、爪車４と同数の櫛歯状の振動弁６１を有しており、この振動弁６１の弁先が爪車４の外周に形成された爪４１と係脱可能となるように配置されている。各振動弁６１も、それぞれ長さが異なるように形成されている。そして、低音域に対応する振動弁６１には、上述のウエート５１ａと同様の効果を備えたウエート６１ａが溶接により接合されている。なお、同じ爪車４でほぼ同時に弾かれる振動弁５１，６１は、若干、音程がずれるように形成されており、両振動弁５１，６１によって適度なうなりが発生することとなる。
【００４３】
フレーム７とフレーム８とは、図６〜図９に示すように、両端に配置される２つのホルダー３２，３３によって、所定の角度を持たせて連結されている。すなわち、フレーム７が取り付け板９１の平行部９１ａに当接し、フレーム８が取り付け板９１のスロープ９１ｃに当接するように、フレーム７，８は約１３５度の角度を持たせて連結される。なお、スロープ９１ｃに当接するように配置されるフレーム８の一端側であってホルダー３３の近傍の一部には、他方のフレーム７にしっかり当接されるように約４５度の傾斜面８ｂが形成されている。
【００４４】
そして、フレーム７のフレーム８との境の部分には、図６及び図９に示すように、多数の爪車４を回転自在に支持するためのガイド３５が一体的に形成されている。このガイド３５は、各爪車４を両隣の爪車４から隔離するための櫛歯状の分岐板で形成されており、ガイド棒３５ａに各爪車４を装填した状態で各分岐板の間に各爪車４が配置されるようにして、ガイド棒３５ａをガイド３５の溝３５ｂに載置することで各爪車４がガイド棒３５ａを回動中心として回転可能に配置される。
【００４５】
また、各爪車４の外周縁には、複数の爪４１が設けられている。各爪４１は、ディスク３の係合部３ａに係脱可能となっていると共に、各振動板５，６の振動弁５１，６１の弁先とそれぞれ係脱可能となっている。この爪車４は、ディスク３によって駆動され各振動弁５，６の各振動弁５１，６１を同時に弾くことによって、各振動弁５，６を振動させ音を発生させるものとなっている。
【００４６】
ホルダー３２は、図７に示すように、モータ２０を保持するためのモータ保持部３２ａと、フレーム７をネジ止め固定するための固定部３２ｂと、フレーム８をネジ止め固定するための固定部３２ｃと、アーム３４の回動支点となるアーム保持部３２ｄとを備えている。なお、両固定部３２ｂ，３２ｃとアーム保持部３２ｄは、略正方形状のモータ保持部３２ａの外方にそれぞれ延出されたものとなっている。そして、アーム保持部３２ｄの先端には、アーム３４の回動支点を係止させるための溝３２ｅが設けられている。アーム３４は、この溝３２ｅ内に落とし込まれた状態でアーム保持部３２ｄの両外側からピン（図示省略）を挿通されることにより、この溝３２ｅを回動中心として回動するようになっている。
【００４７】
また、ホルダー３３は、図８に示すように、シャフト１０が係合する係合孔３３ａと、フレーム７をネジ止め固定するための固定部３３ｂと、フレーム８をネジ止め固定するための固定部３３ｃと、を備えている。なお、シャフト１０は、ディスク３の回転中心孔を挿通させると共にアーム３４の先端を保持するものとなっている。アーム３４の先端は、図５に示すように、シャフト１０に保持されると共にアームカバー３７をシャフト１０に差し込むことによってシャフト１０に保持される。
【００４８】
アーム３４は、回転中心孔がシャフト１０に挿入されて装填されるディスク３の抑え部材となっている。すなわち、ディスク３には、モータ２０による駆動時に、爪車４とスプロケット３１から多大な力が加わるが、アーム３４は、このような力によってディスク３が浮いて係合部３ａや駆動用係合穴が爪車４やスプロケット３１から外れてしまわないように抑える役目を有している。このアーム３４は、ホルダー３２を中心として回動可能となっており、ディスク３を取り外したり装填する際には、図２及び図５の２点鎖線で示したように上方へ回動させる。そして、装填後は、実線で示すように下方へ回動してディスク３を抑えつける。
【００４９】
なお、上述の実施の形態の説明中、開閉扉９ａのみを設けた場合では、ディスク３に遮蔽されるため振動板５，６からの直接音や反射音が聴者に届かず、特に超高音のように光のような性質を有し共鳴しない性質の音は外部に導けないということを述べたが、そのことについて出願人は以下に説明するような検証を行っている。
【００５０】
図１０及び図１１に示したのは、ディスク３が音の伝播を遮蔽すると、どの程度音量に影響があるかを実験するために、出願人が作成した実験用オルゴールである。
【００５１】
図１０の実験用オルゴールは、略矩形筒状の筐体２０１と、この筐体２０１の内側に筐体２０１の側壁２０１ａに対して直交するように取り付けられた取り付け板２０２と、取り付け板２０２上に固定されたオルゴールユニット２０３と、オルゴールユニット２０３に装填されたディスク２０４（ディスク３に相当）と、から構成されている。オルゴールユニット２０３は、モータ２０５と、スプロケット２０６と、多数の爪車２０７と、取り付け板２０２に対して共に平行に並べられた２つの振動板２０８と、これら２つの振動板２０８を固定するフレーム２０９と、アーム２１０とを有しており、ディスク２０４はアーム２１０と振動板２０８及び爪車２０７との間に配置されるように装填される。
【００５２】
そして、このオルゴールユニット２０３は、モータ２０５の回転によりスプロケット２０６を回転させると、このスプロケット２０６の外周端部分に自らの外周端部分が係合しているディスク２０４が回転し、このディスク２０４の回転によって爪車２０７を回転させて爪車２０７の爪で振動弁（図示省略）を弾いて音を発生させる駆動ユニットとなっている。
【００５３】
なお、この実験では、オルゴールユニット２０３に装填されたディスク２０４の上方に音を収録するための第１のマイクロフォン２２０が設置されている。すなわち、この第１のマイクロフォン２２０と両振動板２０８との間にディスク２０４が配置され、振動板２０８から発生する直接音や反射音がディスク２０４によって遮蔽され第１のマイクロフォン２２０に届きにくいようにされている。
【００５４】
一方、取り付け板２０２の下方には、第１のマイクロフォン２２０と同性能の音収録用の第２のマイクロフォン２３０が設置されている。なお、図１１に示すように、取り付け板２０２には、貫通孔２０２ａが設けられ、振動板２０８を上側に固定したフレーム２０９にも貫通孔２０９ａが設けられている。このため、第２のマイクロフォン２３０は、これら両貫通孔２０２ａ，２０９ａにより振動板２０８との間に遮蔽物がない位置に設置されていることとなる。なお、第１のマイクロフォン２２０から振動板２０８までの距離Ｔ１と、第２のマイクロフォン２３０から振動板２０８までの距離Ｔ２とは、等距離となっている。
【００５５】
このような状況でオルゴールユニット２０３を駆動して音を鳴奏させ、第１のマイクロフォン２２０と第２のマイクロフォン２３０により、各位置での音の収録を行うと、図１２のグラフで示すような結果となった。
【００５６】
図１２のグラフは、第１のマイクロフォン２２０と第２のマイクロフォン２３０で収録された音の周波数［Ｈｚ］と、音の強さ［ｄＢ］との関係を示す図である。このグラフによると、ディスク２０４による遮蔽のない第２のマイクロフォン２３０で収録した音は、ディスク２０４によって遮蔽された第１のマイクロフォン２２０で収録した音に比して、周波数［Ｈｚ］に関係なく常に大きな音［ｄＢ］となっている。そして、特に、周波数［Ｈｚ］が２０ｋＨｚ（＝２万Ｈｚ）を超え、非可聴域の超高音となる周波数帯域では、その差が顕著となる。この結果、超高音といわれる２万Ｈｚ以上の周波数帯域の音は、ディスク２０４等の遮蔽物がある場合はその伝達が著しく阻止され、逆に遮蔽物がない場合には比較的大きな音［ｄＢ］で伝達されることが分かった。
【００５７】
以上のような実験結果を踏まえ、上述したように本発明の実施の形態のディスク式オルゴールでは、聴者の脳波からα波の発生を促し聴者をリラックスさせる効果の高い超高音の外部への導出を、ディスク３によって阻止してしまわない構成、すなわち、ディスク３の振動板５，６が配置される側の面がさらされる空間を外部空間と連通するための第１開口部９ｂを設けた構成を採用している。上述の実施の形態では、一方の振動板６の振動弁６１の振動によって発生する音が直接またはディスク３や取り付け板９１で反射させられながら外部へ導かれるように第１開口部９ｂを設けているので、特に直接音が外部へ導かれ易くなっている。
【００５８】
なお、上述の実施の形態は、本発明の好適な実施の形態の例であるが、これに限定されるものではなく、本発明の要旨を逸脱しない範囲において種々変形実施可能である。例えば、上述した実施の形態のディスク式オルゴール１では、駆動源をモータ２０としたが、特に駆動源はモータでなくとも良く手動等、他の方式でもよい。
【００５９】
また、上述の実施の形態のディスク式オルゴール１では、振動板６をディスク３に対して傾けて設け、振動板６から発生する直接音や反射音を、第１開口部９ｂから外部へ導き易いように構成したが、振動板６は特に傾いていなくても良い。また、振動板５，６のいずれか一方を無くし、１個の振動板としても良い。
【００６０】
また、上述の実施の形態では、振動板６を振動板５に対して１８０度対称位置から約４５度ずらした位置となるように構成したが、この角度は何度でもよい。なお、振動板６の角度は、ディスク３に対して傾けば傾くほど効率よく、特に９０度に傾ける（垂直な位置関係とする）と最も効率よく、直接音が第１開口部９ｂへ導かれることとなる。しかしながら、本実施の形態では、各振動板５，６の超低音用の振動弁５１，６１に溶接固定されたウエート５１ａ，６１ａが干渉しない範囲で最大限となる約４５度に傾けるようにした。
【００６１】
なお、第１の開口部９ｂの位置、すなわち筐体９の前面部分上端近傍を超高音の導出口とせず、上述した実験用のオルゴールのように振動板が取り付けられるフレーム及び取り付け板に貫通孔を設け、この貫通孔を通過する直接音を取り付け板より下に設けた開口部から外部へ導くようにしても良い。このようにしても、上述の実施の形態の構成のものと同様、直接音や反射音でしか伝播しない超高音が外部に導かれて聴者の耳に届くようになり、聴者の脳波にα波の発生を促すことができる。
【００６２】
なお、この場合、音の発生源である振動板と貫通孔、さらに開口部が一直線上に配置されていると、さらに効果的に直接音が開口部から外部へ直接的に導かれることとなり、超高音をより効率よく外部に導くことができる。具体的には、図１０のものを左側を下にして右側を上にするようにして、すなわち９０度回転させて、聴者は振動板の裏側を見るようにして（図１１の状態）音を聞くようにしてもよい。
【００６３】
また、上述の実施の形態では、筐体９の前面に、超低音域を外部へ導くための大型開口部９ｄを設けたが、この大型開口部９ｄは無くてもよい。また、この大型開口部９ｄに音を導くための湾曲板９５も省略できる。
【００６４】
【発明の効果】
以上説明したように、本発明のディスク式オルゴールによれば、内部に音源部を格納した筐体の、振動板から見てディスクと対向する面側とは異なる方向に、超高音を外部へ導く開口部を備えたため、この開口部から可聴音域の音だけでなく超高音も導かれ、それを聴者が聞くことができるようになる。その結果、聴者の脳波にα波を発生させる効果を奏することとなり、聴者をよりリラックスさせて安らぎ感を与えることができるディスク式オルゴールとなる。
【図面の簡単な説明】
【図１】本発明の実施の形態におけるディスク式オルゴールを示した縦断面図である。
【図２】図１のディスク式オルゴールを図１の矢示ＩＩ方向から見た正面図である。
【図３】図１のディスク式オルゴールのオルゴールユニット付近を拡大して示した断面図である。
【図４】図２のディスク式オルゴールのオルゴールユニットを図２の矢示ＩＶ方向から見た正面図である。
【図５】図４を矢示Ｖ方向から見たオルゴールユニットの底面図である。
【図６】図４のオルゴールユニットからモータ等の部材を外して各フレーム及び各フレームを連結する両ホルダーならびにガイドを示した正面図である。
【図７】図６の矢示ＶＩＩ方向から見た右側面図である。
【図８】図６の矢示ＶＩＩＩ方向から見た左側面図で、奥側のフレームを省略して示す図である。
【図９】図６の矢示ＩＸ方向から見た平面図である。
【図１０】ディスクが音の伝播を遮蔽すると、どの程度音量に影響があるかを実験するために、出願人が作成した実験用オルゴールの縦断面図である。
【図１１】図１０の矢示ＸＩ方向から見た底面図である。
【図１２】図１０の実験用オルゴールを用いた音量の実験結果を示したグラフで、２つのマイクロフォンでそれぞれ収録した音を周波数と音量との関係で示した図である。
【図１３】従来のディスク式オルゴールの要部を示した平面図である。
【符号の説明】
１  ディスク式オルゴール
２  音源部
３  ディスク
３ａ  係合部
４  爪車
５，６  振動板
７，８  フレーム
９  筐体
９ｂ  第１開口部
２０  モータ（駆動源）
４１  爪
５１，６１  振動弁
【図１】
0003712577.tif 000002
【図２】
0003712577.tif 000003
【図３】
0003712577.tif 000004
【図４】
0003712577.tif 000005
【図５】
0003712577.tif 000006
【図６】
0003712577.tif 000007
【図７】
0003712577.tif 000008
【図８】
0003712577.tif 000009
【図９】
0003712577.tif 000010
【図１０】
0003712577.tif 000011
【図１１】
0003712577.tif 000012
【図１２】
0003712577.tif 000013
【図１３】
0003712577.tif 000014